(57)【特許請求の範囲】
【請求項１】
先端部にＣＣＤイメージセンサとＬＥＤ光源を、グリップ部に単一の操作ボタンを有し、該操作ボタンを押すことにより、前記ＬＥＤ光源をオン／オフし、前記ＣＣＤイメージセンサからの映像をディスプレイ上に表示する歯科用口腔内観察装置において、前記ディスプレイ上に動画を表示中に、前記操作ボタンを所定時間押した後に、静止画に切り換わるようにしたことを特徴とする歯科用口腔内観察装置。
【請求項２】
前記ディスプレイ上に動画を表示中に、前記操作ボタンを０．３秒を超えて押し続けた時に、前記表示中の動画が静止画に切り換わることを特徴とする請求項１に記載の歯科用口腔内観察装置。
【請求項３】
前記ディスプレイ上に静止画を表示中に、前記操作ボタンを押した時、前記表示中の静止画が直ちに動画に切り換わることを特徴とする請求項１又は２に記載の歯科用口腔内観察装置。
【請求項４】
前記操作ボタンを２秒以上長押しした時に、前記ＬＥＤ光源及びディスプレイ上の画像が消えることを特徴とする請求項１乃至３のいずれかに記載の歯科用口腔内観察装置。
【発明の詳細な説明】
【０００１】
【発明の属する技術分野】
本発明は、歯科用口腔内観察装置、より詳細には、歯科治療において、口腔内や歯根内等の様子を撮影観察する歯科用口腔内観察装置に関する。
【０００２】
【従来の技術】
歯科治療においては、例えば、歯根を切削、成形、洗浄した後、該歯根内に詰め物をする等の治療を行うが、その場合、歯根内が的確に切削、成形されているか否かを観るためにスコープを使用する。従来、スコープは光学式のものが使用されていたが、近年は、電子技術の進歩によりＣＣＤ（固体映像素子）の画素数も多くなり高分解能のものができ、且つ、光感度、色再現性が向上したことから光学式に替えてＣＣＤカメラの使用が試みられている。
【０００３】
図３は、従来の歯科用口腔内観察カメラの一例を説明するための構成図で、図３（Ａ）は要部を断面にて示す全体構成図、図３（Ｂ）は図３（Ａ）をＢ−Ｂ線方向から見た図で、図中、５０はハンドピースで、該ハンドピース５０の先端部のヘッド部５１内には、ＣＣＤカメラ６０が収納され、蓋部材５２により固定されるようになっている。
【０００４】
ＣＣＤカメラ６０は、対物レンズを含むレンズ群６１、色フィルタ６２、ＣＣＤセンサ６３等を有し、これらレンズ群６１、色フィルタ６２、及び、ＣＣＤセンサ６３は、同一軸線上に一体的に形成され、ヘッド部５１内に、挿脱自在に収納され、蓋部材５２によって、該ヘッド部５１内に固定されるようになっている。ＣＣＤセンサ６３の信号線６４は、図３（Ｂ）に示すように、ＣＣＤセンサ用信号ピン６５に接続され、該信号ピン６５に着脱自在に接続される図示しないケーブルを通して画像表示装置（ディスプレイ）に伝達され、該ディスプレイ上に、前記ＣＣＤカメラにて撮像した像が表示されるようになっている。
【０００５】
ハンドピース５０内には、ライトガイド７０が挿通されており、該ライトガイド７０には、前述の図示しないケーブル内に設けられたライトガイドを通して伝達される光が、該ケーブルがハンドピース５０に接続された時に、図３（Ｂ）に示すライトガイド受口７１より導入され、ヘッド部５１に開放された先端部７２により照射される。
【０００６】
最近では、前述のライトガイドに代わってＬＥＤ光源を用いて、ハンドピースと画像処理装置とを結ぶホースを軽くし、曲げ操作を楽に行えるようにし、更には、ランプを不要にして、メンテナンスやランニングコストを低減し、更には、低消費電力で安定した光量を保つことができるようにしている。更には、ハンドピース内にＣＣＵ（Ｃａｍｅｒａ  Ｃｏｎｔｒｏｌ  Ｕｎｉｔ）を設けるとともに、該ハンドピースに操作ボタン（スイッチ）を設け、該操作ボタンにより、ＬＥＤ光源をオン，オフし、ＣＣＵを駆動，停止すること等が行われている。
【０００７】
【発明が解決しようとする課題】
しかし、上記操作ボタン付ハンドピースを用いる歯科用口腔内観察カメラは、口腔内或いは歯根内の様子を正確に観察したい場合に、前記ハンドピースに設けられている操作ボタンを押し、動画像を静止画像にして観察するが、その際、手振れが生じ、ディスプレイ上の表示画面に乱れが生じて見えにくい等の不具合があった。
【０００８】
本発明は、上述のごとき実情に鑑みてなされたもので、手元（ハンドピース）の操作ボタンを押して、動画像から静止画像に変換する際の手振れによる画像の乱れを防止することを目的としてなされたものである。
【０００９】
【課題を解決するための手段】
請求項１の発明は、先端部にＣＣＤイメージセンサとＬＥＤ光源を、グリップ部に単一の操作ボタンを有し、該操作ボタンを押すことにより、前記ＬＥＤ光源をオン／オフし、前記ＣＣＤイメージセンサからの映像をディスプレイ上に表示する歯科用口腔内観察装置において、前記ディスプレイ上に動画を表示中に、前記操作ボタンを所定時間を超えて押し続けた時に、前記表示中の動画が静止画に切り換わるようにしたことを特徴としたものである。
【００１０】
請求項２の発明は、請求項１の発明において、前記ディスプレイ上に動画を表示中に、前記操作ボタンを０．３秒を超えて押し続けた時に前記表示中の動画が静止画に切り換わることを特徴としたものである。
【００１１】
請求項３の発明は、請求項１又は２の発明において、前記ディスプレイ上に静止画を表示中に、前記操作ボタンを押した時、前記表示中の静止画が直ちに動画に切り換わることを特徴としたものである。
【００１２】
請求項４の発明は、請求項１乃至３のいずれかの発明において、前記操作ボタンを２秒以上長押しした時に、前記ＬＥＤ光源及びディスプレイ上の画像が消えることを特徴としたものである。
【００１３】
【発明の実施の形態】
図１は、本発明による歯科用口腔内観察装置の一実施例を説明するための要部概略構成図、図２は図１に示したハンドピース１０内の電気回路の詳細を説明するための概略構成図で、図中、１０はハンドピース、２０は画像信号処理装置、３０はディスプレイ、４０はハンドピース１０と画像信号処理装置２０とを結ぶケーブルで、ハンドピース１０の先端部には、ＣＣＤイメージセンサ１１及びＬＥＤ光源１２を有し、口腔内の被観察部位をＬＥＤ光源１２によって照明し、該ＬＥＤ光源１２によって照明された部位の状況をレンズ１３、フィルタ１４等を通してＣＣＤイメージセンサ１１によって撮影し、撮影した画像をハンドピース１０内に設けられたＣＣＵ１５により画像信号に変換し、ケーブル４０を通して画像信号処理装置２０に伝送し、該画像信号処理装置２０により画像処理し、ディスプレイ３０上に表示する。
【００１４】
口腔内観察にあたって、術者は、まず、画像信号処理装置２０のメインスイッチ２１をオンし、その後、操作ボタン１６を押すと、コントロール線１６ａ，１６ｂ間が接続（オン）され、画像信号処理装置２０は、この操作ボタン１６が押されたことを検知して、ＬＥＤ光源１２を点灯するとともに、ＣＣＵ１５を駆動し、ＣＣＤ１１によって撮像された画像をディスプレイ３０上に動画表示する。この状態で、操作ボタン１６を所定時間（例えば、０．３秒）を超えて長押しすると、表示中の動画像がディスプレイ３０上に静止画表示され、ＣＣＵ１５の駆動が停止され、ＬＥＤ光源１２が消灯される。すなわち、操作ボタン１６を押した直後の画像は、ハンドピース１０の手振れで乱れているので、操作ボタン１６を所定時間（例えば、０．３秒）以上押し続けた時の画像をディスプレイ２０上に静止画表示することで、静止画に乱れがなく、鮮明な映像を表示することができ、術者は、この鮮明な映像を観察することができる。引き続き観察する場合には、ハンドピース先端部（カメラ部）を再度、口腔内に入れ、操作ボタン１６を押すと、直ちに動画が表示される。以降、同様の動作の繰り返しにより、ディスプレイ３０上に動画、静止画を繰り返しながら表示し、口腔内の観察を行うことができる。最後は、操作ボタン１６を所定時間（例えば、０．３秒＋１．７秒以上＝２秒以上）長押しすることにより、ＬＥＤ光源１２を消灯し、ＣＣＵ１５を停止して終了する。
なお、手元スイッチ１６を押してＣＣＵ１５の駆動電源をオンしてから、所定時間経過後に、ＣＣＵ駆動電源を自動的にオフにすることにより、省電力化を図ることができる。
【００１５】
【発明の効果】
ハンドピース１０にＣＣＤイメージセンサ１１とＬＥＤ光源１２及び、操作ボタン１６を有し、該操作ボタン１６を押すことにより、ＬＥＤ光源１２をオン／オフし、ＣＣＤイメージセンサ１１からの映像をディスプレイ３０上に動画／静止画切換え表示可能な歯科用口腔内観察装置において、動画像表示中に、操作ボタン１６を所定時間（例えば、０．３秒）を超えて長押しした時に、静止画像に切り換えて表示するようにしたので、ディスプレイ上の静止画像に乱れがなく、非常に見やすい表示とすることができる。
【図面の簡単な説明】
【図１】本発明による歯科用口腔内観察装置の一実施例を説明するための要部概略構成図である。
【図２】本発明に使用する歯科用口腔内観察ハンドピース内の電気回路の一例を説明するための図である。
【図３】従来の歯科用口腔内観察装置の一例を説明するための構成図である。
【符号の説明】
１０…歯科用口腔内観察ハンドピース、１１…ＣＣＤイメージセンサ、１２…ＬＥＤ光源、１３…レンズ、１４…フィルタ、１５…ＣＣＵ、１６…操作押しボタン、２０…画像信号処理装置、２１…メインスイッチ、３０…ディスプレイ（モニタ）、４０…ケーブル。
【図１】
0003594943.tif 000002
【図２】
0003594943.tif 000003
【図３】
0003594943.tif 000004